(57)【要約】【課題】直接的な加熱を避け、頭髪にダメージを与えることなく、頭髪のケアを行うことができる頭髪の栄養吸収促進器を提供すること。【解決手段】第一挟持部１及び第二挟持部２の一端を枢軸３で開閉可能に接合すると共に、他端部はその間に毛髪を挟持可能な挟持端部４とし、第一挟持部１の挟持端部４において、第二挟持部２と対向する面に超音波発生パネル１１を設けてある。第二挟持部２の超音波発生パネル１１と対向する位置に、光熱を発生する光熱パネル２１を設けると良い。【選択図】図１
0003137922.tif 000002
【実用新案登録請求の範囲】
【請求項１】
第一挟持部及び第二挟持部を有し、これら第一挟持部及び第二挟持部の一端を枢軸で開閉可能に接合すると共に、他端部はその間に毛髪を挟持可能な挟持端部とし、前記第一挟持部の挟持端部において、前記第二挟持部と対向する面には超音波発生パネルを設けてあることを特徴とした頭髪の栄養吸収促進器。
【請求項２】
前記第一挟持部及び第二挟持部の対向する位置に、前記超音波発生パネルからの超音波出力を制御する電源スイッチと押圧棒とをそれぞれ設置し、前記第一挟持部及び第二挟持部を互いに押付けあった時、前記押圧棒が前記電源スイッチを押圧して、該電源スイッチが閉じる請求項１に記載された頭髪の栄養吸収促進器。
【請求項３】
前記第二挟持部の前記超音波発生パネルと対向する位置に、光熱を発生する光熱パネルを設けてある請求項１又は２に記載された頭髪の栄養吸収促進器。
【考案の詳細な説明】
【技術分野】
【０００１】
本考案は、トリートメント剤が頭髪に浸透するのを促進する頭髪の栄養吸収促進器に関する。
【背景技術】
【０００２】
従来、頭部に被せて、温熱によりトリートメント剤を頭髪に吸収させるようにした温熱装置が知られている。
しかし、このような温熱装置は、電熱コイルを利用して発熱しているので、温度制御が難しく、加熱しすぎて頭髪のキューティクルにダメージを与えてしまい、頭髪の水分及びタンパク質成分を失わせ、この結果、頭髪の乾燥、枝毛、切れ毛などを引き起こす心配があった。
【考案の開示】
【考案が解決しようとする課題】
【０００３】
本考案が解決しようとする課題は、直接的な加熱を避け、頭髪にダメージを与えることなく、頭髪のケアを行うことができる頭髪の栄養吸収促進器を提供することにある。
【課題を解決するための手段】
【０００４】
本考案の頭髪の栄養吸収促進器は、第一挟持部及び第二挟持部を有し、これら第一挟持部及び第二挟持部の一端は枢軸で開閉可能に接合されると共に、他端部はその間に毛髪を挟持可能な挟持端部とされ、前記第一挟持部の挟持端部において、前記第二挟持部と対向する面には超音波発生パネルを設けてある。
前記第一挟持部及び第二挟持部の対向する位置に、前記超音波発生パネルからの超音波出力を制御する電源スイッチと押圧棒とをそれぞれ設置し、前記第一挟持部及び第二挟持部を互いに押付けあった時、前記押圧棒が前記電源スイッチを押圧して、電源スイッチが閉じるようにしても良い。
前記第二挟持部の前記超音波発生パネルと対向する位置に、光熱を発生する光熱パネルを設けると良い。
【考案の効果】
【０００５】
請求項１に係る考案によれば、超音波を利用して、毛髪細胞を活性化すると共に、毛髪にトリートメント剤を深く浸透させてケアを行うことができ、しかも、毛髪を直接高い温度で加熱しないので、毛髪にダメージを与えることも無い。
請求項２に係る考案によれば、第一挟持部及び第二挟持部を押付けるだけで毛髪を挟持すると共に、超音波を発振させることができるので、操作が簡単である。
請求項３に係る考案によれば、超音波に加えて光熱を毛髪に照射し、さらに毛髪へのトリートメント効果を高めることができる。
【考案を実施するための最良の形態】
【０００６】
以下、本考案の実施例を図面に基づいて詳細に説明する。
図１〜図３に示すように、本考案の頭髪の栄養吸収促進器は、第一挟持部１と第二挟持部２とを備える。
第一挟持部１及び第二挟持部２の一端は枢軸３で開閉可能に接合され、他端部が挟持端部４となっている。なお、第一挟持部１及び第二挟持部２は常態では開くように付勢され、使用者が片手で操作して互いに押し付け合うことにより、挟持端部４で頭髪を挟むことができる。
【０００７】
第一挟持部１の挟持端部４において、第二挟持部２と対向する面には超音波発生パネル１１を取り付けてあり、第二挟持部２の挟持端部４において、超音波発生パネル１１と対向する位置には光熱パネル２１を取り付けてある。
超音波発生パネル１１の表面には、毎秒１００万回程度の高周波を発振する超音波発振器が装着され、光熱パネル２１の表面には赤色光ＬＥＤ、黄色光ＬＥＤ及び青色光ＬＥＤが装着されている。
【０００８】
超音波発振器は、図４に示すように、超音波発振回路１２に組み込まれる。超音波発振回路１２は、トランジスタＱ１、キャパシタＣ１，Ｃ２、インダクタＬ１，Ｌ２等で構成された三点式の発振回路であり、可変抵抗ＲＶ１でトランジスタＱ１のベースバイアス電流を調節して、超音波の出力強度を変えることができるようになっている。
また、超音波発振回路１２は、超音波の出力を制御するスイッチＳＷ−ＳＯＮＩＣと、赤色光ＬＥＤ、黄色光ＬＥＤ及び青色光ＬＥＤの出力を制御するスイッチＳＷ−ＬＥＤとを兼ねる電源スイッチ１３（図１）を有する。
超音波発振回路１２は、この電源スイッチ１３を介して、電源コードの先端に設けられた変圧器５に接続される。
そして、変圧器５から突設した差込刃５１を電源コンセントへ差し込むことにより、超音波発振回路１２へ給電することができる。
【０００９】
図５に示すように、電源スイッチ１３は、第一挟持部１の第二挟持部２と対向する面に、筒部材の奥に隠れた状態で設置してあり、第二挟持部２の電源スイッチ１３と対向した位置には押圧棒２２が設けられる。
従って、差込刃５１を電源コンセントへ差し込んだ状態で、第一挟持部１と第二挟持部２とを互いに押し付けると、押圧棒２２が筒部材内へ挿入されて電源スイッチ１３を押圧し、この結果、電源スイッチ１３が閉じて超音波発振回路１２が起動し、超音波発生パネル１１から超音波が発振されると共に、光熱パネル１２の赤色光ＬＥＤ、黄色光ＬＥＤ及び青色光ＬＥＤが点灯する。
【００１０】
そして、図６及び図７に示すように、第一挟持部１と第二挟持部２との間に挟まれた毛髪６が超音波と光熱を受け、毛髪細胞が活性化すると共に、予め毛髪６に塗布されたトリートメント剤６１が毛髪６の内部に吸収される。
なお、光熱パネル１２からは遠赤外線光を照射するようにしても良い。
また、電源スイッチ１３を第二挟持部２に設け、押圧棒２２を第一挟持部１に設けることもできる。
【図面の簡単な説明】
【００１１】
【図１】本考案の実施例を示す頭髪の栄養吸収促進器の斜視図。
【図２】本考案の実施例に係る第一挟持部及び第二挟持部の斜視図。
【図３】本考案の実施例に係る第一挟持部及び第二挟持部の分解斜視図。
【図４】本考案の実施例に係る回路図。
【図５】本考案の実施例に係る第一挟持部及び第二挟持部の側面図。
【図６】本考案の実施例を示す頭髪の栄養吸収促進器の使用状態における要部側面。
【図７】本考案の実施例を示す頭髪の栄養吸収促進器の使用状態における斜視図。
【符号の説明】
【００１２】
１  第一挟持部
１１  超音波発生パネル
１２  超音波発振回路
１３  電源スイッチ
２  第二挟持部
２１  光熱パネル
２２  押圧棒
３  枢軸
４  挟持端部
５  変圧器
５１  差込刃
６  毛髪
６１  トリートメント剤
【図１】
0003137922.tif 000003
【図２】
0003137922.tif 000004
【図３】
0003137922.tif 000005
【図４】
0003137922.tif 000006
【図５】
0003137922.tif 000007
【図６】
0003137922.tif 000008
【図７】
0003137922.tif 000009